(57)【要約】【課題】着用時に吸収体が肌側へ向かって隆起し、優れたフィット性を有していると共に、製造が容易な吸収性物品を提供すること【解決手段】吸収層１０における肌当接面側の長手方向両側部に一対の溝５１，５１が設けられている。一対の溝５１，５１は、吸収層１０の長手方向に延びる中心線に対して略線対称形状を有している。一対の溝５１，５１それぞれは、長手方向中央領域において幅方向外側に凸に湾曲するように形成されている。更に吸収層１０の長手方向後方部には、幅方向の間隔が後方に向かって徐々に狭くなる一対の内側後方溝５２，５２、及び内側後方溝の幅方向外側に位置し且つ内側後方溝５２よりも長手方向後方に延びる一対の外側後方溝５３，５３を有している。【選択図】図１
2008119081.tif 000002
【特許請求の範囲】
【請求項１】
吸収層及び防漏層を備えた吸収性物品において、
前記吸収層における肌当接面側の長手方向両側部に一対の溝が設けられており、一対の該溝は、前記吸収層の長手方向に延びる中心線に対して略線対称形状を有し、それぞれ長手方向中央領域において幅方向外側に凸に湾曲するように形成されており、更に前記吸収層の長手方向後方部には、幅方向の間隔が後方に向かって徐々に狭くなる一対の内側後方溝、及び該内側後方溝の幅方向外側に位置し且つ該内側後方溝よりも長手方向後方に延びる一対の外側後方溝を有している吸収性物品。
【請求項２】
前記吸収層を形成している吸収体の坪量は、１５０〜６００ｇ／ｍ2であり、前記外側後方溝の幅方向内側で且つ前記内側後方溝の幅方向外側の領域における坪量と、該内側後方溝の幅方向内側の領域における坪量とが略等しい請求項１記載の吸収性物品。
【請求項３】
一対の前記溝は、前記吸収層の前方部において繋がっており、一対の前記溝と一対の前記外側後方溝とは繋がっており、一対の前記外側後方溝は、前記吸収層の後方部において繋がっている請求項１又は２記載の吸収性物品。
【請求項４】
一対の前記内側後方溝は、一対の前記溝及び一対の前記外側後方溝とは繋がっていない請求項３記載の吸収性物品。
【請求項５】
一対の前記溝それぞれの幅方向外側に、幅方向内側に凸に湾曲している側方溝が設けられている請求項１ないし４の何れかに記載の吸収性物品。
【発明の詳細な説明】
【技術分野】
【０００１】
本発明は、生理用ナプキン、失禁パッド等の吸収性物品に関する。
【背景技術】
【０００２】
従来より、液透過性の表面シート及び液保持性の吸収体からなる吸収層の肌当接面側に防漏溝を設けた吸収性物品が知られている。例えば、特許文献１には、吸収層の後方部（吸収性物品の着用時に着用者の後ろ側に当接される部位）の肌当接面に、吸収性物品の幅方向に沿って複数の防漏溝を設けた吸収性物品が開示されている。
また、吸収体に中高部を有し、着用時における吸収性物品の肌当接面と着用者の排泄部との密着性が高められている吸収性物品が知られている。この種の吸収性物品は、その肌当接面と着用者の肌との間に隙間が生じることを防ぎ、体液が、吸収性物品の肌当接面又は着用者の肌を伝わって漏れるのを低減することを目的としている。このような目的を有する吸収性物品として、特許文献２には、吸収層の後方部に４本の防漏溝を有し、該４本の防漏溝のうちの内方の２本の防漏溝と外方の２本の防漏溝とはそれぞれ後端部で半円形の連結防漏溝を介して連結され、内方の前記防漏溝と半円形の前記連結防漏溝とに囲まれた部分に中高部が設けられている吸収性物品が開示されている。
【０００３】
【特許文献１】特開平１０−１５５８３２号公報
【特許文献２】特開２００１−８９７１号公報
【発明の開示】
【発明が解決しようとする課題】
【０００４】
特許文献１の吸収性物品に設けられた複数の溝は、主に横漏れや後ろ漏れを効果的に防止するためのものであり、着用時のフィット性を向上させることはできない。また、着用時に吸収体が隆起しないため、吸収性物品の肌当接面と着用者の排泄部との密着性に劣る。特許文献２の吸収性物品は、中高部を有する吸収体を構成部材とし、該中高部によって吸収性物品の肌当接面と着用者の排泄部との密着性を高めている。しかしながら、このような中高部を有する吸収性物品においては、中高部と非中高部とでは高さの差が生じる。排泄部及び臀部を含む股下部の形状には個人差があるため、人によっては中高部と非中高部によって形成される形状が股下部の形状に合わず、排泄部における密着性はよいが、臀部自体にフィットしにくいといった問題が生じることがあった。更に、吸収体に中高部を設けると、吸収体の部材数が増加したり、製造工程数が増加し、吸収性物品の製造の手間及びコストが増える。
【０００５】
従って、本発明の目的は、着用時に吸収体が肌側へ向かって隆起し、優れたフィット性を有していると共に、製造が容易な吸収性物品を提供することにある。
【課題を解決するための手段】
【０００６】
本発明は、吸収層及び防漏層を備えた吸収性物品において、前記吸収層における肌当接面側の長手方向両側部に一対の溝が設けられており、一対の該溝は、前記吸収層の長手方向に延びる中心線に対して略線対称形状を有し、それぞれ長手方向中央領域において幅方向外側に凸に湾曲するように形成されており、更に前記吸収層の長手方向後方部には、幅方向の間隔が後方に向かって徐々に狭くなる一対の内側後方溝、及び該内側後方溝の幅方向外側に位置し且つ該内側後方溝よりも長手方向後方に延びる一対の外側後方溝を有している吸収性物品を提供することにより、上記目的を達成したものである。
【発明の効果】
【０００７】
本発明の吸収性物品によれば、着用時に吸収体が肌側へ向かって隆起し、優れたフィット性を有していると共に、製造が容易である。
【発明を実施するための最良の形態】
【０００８】
以下、本発明の吸収性物品の好ましい一実施形態について図面を参照しながら説明する。本実施形態は、本発明の吸収性物品を生理用ナプキンに適用したものである。
本実施形態の生理用ナプキン１は、図１〜図３に示すように吸収層１０及び防漏層１１を備えている。前記吸収層１０における肌当接面側の長手方向両側部に一対の溝（以下「中央溝」ともいう）５１，５１が設けられており、一対の該溝５１，５１は、前記吸収層１０の長手方向に延びる中心線Ｓ１に対して略線対称形状を有している。一対の該溝５１，５１それぞれは、長手方向中央領域において幅方向外側に凸に湾曲するように形成されている。更に前記吸収層１０の長手方向後方部Ｃには、幅方向の間隔が後方に向かって徐々に狭くなる一対の内側後方溝５２，５２、及び該内側後方溝５２の幅方向外側に位置し且つ該内側後方溝５２よりも長手方向後方に延びる一対の外側後方溝５３，５３を有している。
【０００９】
本実施形態の生理用ナプキン１について更に説明すると、前記吸収層１０は、表面シート２及び吸収体４を主体として構成されており、前記防漏層１１は、裏面シート３を主体として構成されている。
【００１０】
一対の前記中央溝５１，５１、一対の前記内側後方溝５２，５２、一対の前記外側後方溝５３，５３及び後述する一対の前方溝５４，５４それぞれは、図２（ａ）に示すように、吸収層１０の長手方向に延びる中心線Ｓ１に対して略線対称形状となっている。また、一対の前記中央溝５１，５１、一対の前記外側後方溝５３，５３及び一対の前記前方溝５４，５４は、平面視において幅方向外側に凸に湾曲している。
【００１１】
本実施形態では、図２（ａ）に示すように、前方部Ａに一対の前方溝５４，５４が設けられており、一対の前記中央溝５１，５１は、一対の該前方溝５４，５４を介して繋がっており、また一対の中央溝５１，５１の長手方向後端と一対の前記外側後方溝５３，５３の長手方向前端とは繋がっている。更に、一対の外側後方溝５３，５３は長手方向後端において繋がっている。従って、本実施形態においては一対の前方溝５４，５４、一対の中央溝５１，５１及び一対の外側後方溝５３，５３によって囲まれ閉じた領域が形成されている。また、一対の前記内側後方溝５２，５２は、一対の前記中央溝５１，５１及び一対の前記外側後方溝５３，５３とは繋がっていない。
【００１２】
本実施形態では、一対の中央溝５１，５１それぞれの幅方向外側には、図２（ａ）に示すように、幅方向内側に凸に湾曲している側方溝６が設けられている。一対の該側方溝６，６は、全体として、生理用ナプキン１の長手方向に沿って延びている。側方溝６の長手方向に沿う長さは、前方溝５４の最前端と外側後方溝５３の最後端との距離とほぼ同じかそれよりも長いことが好ましい。
【００１３】
一対の前記中央溝５１，５１の前記中央部Ｂにおける長手方向に沿う長さＬ１は、ショーツに生理用ナプキンを取り付ける位置の違い及び個々人の体型による排泄位置の違いを許容し、排泄された液を吸収する観点から、好ましくは３０〜９０ｍｍ、更に好ましくは４０〜６０ｍｍである。一対の中央溝５１，５１の中央部Ｂにおける幅方向最大間隔Ｗ１は、生理用ナプキン１の着用時に着用者の股間部にフィットするように隆起し、一対の中央溝５１，５１に囲まれた領域の形状を安定させる観点から、好ましくは２０〜６０ｍｍ、更に好ましくは３０〜４０ｍｍである。同様に、一対の中央溝５１，５１に囲まれた領域の隆起形状を安定させる観点から、中央溝５１における最大間隔Ｗ１と最小間隔（中央溝５１と前方溝５４もしくは外側後方溝５３との繋がり位置における間隔）との差は、５〜１０ｍｍであることが好ましい。
【００１４】
一対の前記内側後方溝５２，５２の幅方向の間隔は、図２（ａ）に示すように、長手方向前端部において最も大きくなっており、後端部において最も小さくなっている。本実施形態の生理用ナプキン１においては、一対の内側後方溝５２，５２はその後端部で繋がっている。
このように、一対の内側後方溝５２，５２の幅方向の間隔は、前方側が広く後方側が狭くなされていることから、一対の中央溝５１，５１に囲まれた領域における隆起の影響が一対の内側後方溝５２，５２の幅方向内側の領域Ｔ１に伝達され、一対の内側後方溝５２，５２の幅方向内側の領域Ｔ１でも隆起が起こる。なお、この隆起の大きさは、一対の内側後方溝５２，５２の幅方向の間隔の影響を受け、間隔が狭くなっている後方ほど隆起の大きさが小さくなる。従って、隆起の大きさは、中央部Ｂから後方部Ｃに向かって徐々に小さくなり、着用者の股下部に対するフィット性が向上し、違和感が生じにくい。
一対の内側後方溝５２，５２の幅方向最大間隔Ｗ２は、一対の前記中央溝５１，５１に囲まれた領域が隆起するのに連動して一対の内側後方溝５２，５２の幅方向内側の領域がなだらかに隆起し、着用者の股下部にフィットするようにする観点から、好ましくは１０〜５０ｍｍ、更に好ましくは２５〜３５ｍｍである。一対の内側後方溝５２，５２の長手方向に沿う長さＬ２は、好ましくは３０〜９０ｍｍ、更に好ましくは５０〜７０ｍｍである。
【００１５】
一対の外側後方溝５３，５３の長手方向に沿う長さＬ３は、長手方向の液の拡散を制御し、生理用ナプキンにおける一対の中央溝５１，５１で囲まれる領域の面形状を安定させる観点から、好ましくは５５〜１３５ｍｍ、更に好ましくは７５〜１１５ｍｍである。一対の外側後方溝５３，５３の幅方向最大間隔Ｗ３は、吸収体４を有効利用し、漏れを防止する観点から、好ましくは２０〜６０ｍｍ、更に好ましくは３５〜４５ｍｍである。この間隔Ｗ３の好ましい範囲は、一対の前方溝５４，５４の幅方向最大間隔にも適用される。
一対の中央溝５１，５１に囲まれた領域間における隆起の影響は、一対の中央溝５１，５１との繋がり位置から後方に向けて幅方向間隔が同じか広くなっている一対の外側後方溝５３，５３には伝達しにくくなるため、面形状が安定化され易い。
また、一対の内側後方溝５２，５２の幅方向内側の領域Ｔ１の隆起による、外側後方溝５３の幅方向内側で且つ内側後方溝５２の幅方向外側の領域Ｔ２への影響を緩和し、該領域Ｔ２の面形状を安定にする観点から、内側後方溝５２は、中央溝５１及び外側後方溝５３と繋がっていないことが好ましく、前記内側後方溝５２の前端部５２Ｃと中央溝５１又は外側後方溝５３との間隔Ｌ４は、好ましくは１〜７ｍｍ、更に好ましくは２〜４ｍｍである。
【００１６】
また、一対の前方溝５４，５４は、その長手方向の距離が、一対の内側後方溝５２，５２に比べて短くなされているため、一対の中央溝５１，５１に囲まれた領域の隆起の影響は、一対の前方溝５４，５４内に留まり、一対の前方溝５４，５４よりも前方においては、吸収体４は隆起しない。従って、一対の前方溝５４，５４よりも前方における、生理用ナプキン１の着用者の身体へのフィット性が良好となる。
【００１７】
前記表面シート２及び前記裏面シート３の形成材料としては，従来の吸収性物品等において用いられている各種のシート材料を特に制限なく用いることができる。
【００１８】
前記吸収体４のパルプ材料としては，従来の吸収性物品等において用いられている各種のパルプ材料を用いることができ、特に針葉樹パルプ、化学処理された合成パルプ、セルローストウのような長繊維が好ましい。また、吸収体４の形成材料として、パルプ材料の他に、高分子吸収ポリマー、ポリエステルやポリプロピレン製の合成繊維、熱融着性繊維、レーヨンを用いることもできる。吸収体４の形成材料として、パルプ材料及びその他の前記材料を混合して用いることも好ましい。
【００１９】
前記吸収体４の坪量は、該吸収体４の柔軟性を確保する観点から、好ましくは１５０〜６００ｇ／ｍ2、更に好ましくは２００〜５００ｇ／ｍ2である。吸収体４の坪量をこの範囲にすることで、生理用ナプキン１の着用時に吸収層１０がより隆起し易くなる。また、外側後方溝５３の幅方向内側で且つ内側後方溝５２の幅方向外側である領域Ｔ２における坪量と、該内側後方溝５２の幅方向内側の領域Ｔ１における坪量とは、略等しいことが好ましい。尚、ここで「略等しい」とは、両者の坪量の差が好ましくは５０ｇ／ｍ2以内、更に好ましくは３０ｇ／ｍ2以内の範囲にあることをいう。
【００２０】
なお、図３及び図４に示された切断面を参考に説明をすると、吸収体４の坪量差やその他の要因によって発生する吸収性本体２の幅方向中央部から幅方向側部に向けての吸収性本体２の厚みの変化は、吸収性本体２の厚みに段差を設けず、着用者の身体形状にフィットし易くする観点から、なだらかに厚みが変化している事が好ましく、生理用ナプキン１の幅方向中央上面と中央溝５１又は外側後方溝５３の溝の底面とを直線で結んだときに、該直線と水平線（何れも図示せず）とがなす角度は０〜３０°が好ましく、５〜２０°がより好ましい。また、外側後方溝５３の幅方向内側で且つ内側後方溝５２の幅方向外側である領域Ｔ２における吸収性本体２の厚みは、前記直線付近に上面を有する程度の厚みであるか、内側後方溝５２の幅方向内側の領域Ｔ１における吸収性本体２の厚みと略等しい厚みであることが好ましい。
【００２１】
前記吸収層１０においては、図３に示すように、前記表面シート２と前記吸収体４とは、前記中央溝５１、前記内側後方溝５２、前記外側後方溝５３及び前記前方溝５４により接合されている。中央溝５１、内側後方溝５２、外側後方溝５３及び前方溝５４は、厚み方向に吸収体４の非肌当接面側近傍にまで深く延びて形成されている。そのため、排泄された体液が多量であっても、体液は、中央溝５１、内側後方溝５２、外側後方溝５３、及び前方溝５４で一旦止められ、これらの溝を通って吸収体４に移動することができる。
【００２２】
前記吸収体４の両側部の肌当接面側及び非肌当接面側は、図３に示すように、吸収体４の両側縁で折り返された一対の撥水性の内部シート７，７により被覆されている。
前記内部シート７は、従来の吸収性物品等において用いられている各種の撥水性を有するシート材料を用いることができ、特にポリエチレンシート、ポリエチレンラミネート紙、ＳＭＳ不織布を用いることが好ましい。
【００２３】
前記吸収体４の両側部の肌当接面側においては、図３に示すように、前記表面シート２と前記吸収体４とが前記内部シート７を介して前記側方溝６により接合されている。吸収体４の両側部の非肌当接面側においては、吸収体４の非肌当接面側と内部シート７とがヒートシール、超音波シール等の構成材用の溶着手段や接着剤の単独使用、またはこれらの併用により接合されている。
【００２４】
一対の前記中央溝５１，５１、一対の前記内側後方溝５２，５２、一対の前記外側後方溝５３，５３、一対の前記前方溝５４，５４及び一対の前記側方溝６，６は、前記吸収層１０の肌当接面側に、例えば、プレス加工や、ヒートシール加工、超音波シール加工等のシール加工を施すことにより形成される。本実施形態においては、上記各溝は、プレス加工、ヒートシール加工によるエンボス溝で形成されている。
【００２５】
前記吸収体４の非肌当接面側には、前記裏面シート３が配されており、吸収体４の両側部の非肌当接面側には更に撥水性の前記内部シート７が配されているため、吸収体４に吸収された体液の防漏性が向上している。
【００２６】
前記表面シート２及び前記裏面シート３は、図３に示すように、前記吸収体４の周縁から若干延出しており、ヒートシール等の公知の接合方法により接合されている。
更に、前記中央部Ｂにおいては、図４に示すように、前記吸収体４の両側縁それぞれから前記裏面シート３及び前記表面シート２が幅方向外側に延出して接合され、ウイング部８が形成されている。
前記裏面シート３の非肌当接面側（外面）には、生理用ナプキン１を着用者のショーツ等に固定するためのズレ止め剤（図示せず）が設けられている。ズレ止め剤は、剥離紙（図示せず）によって被覆されており、未使用時には保護されている。
【００２７】
本実施形態の生理用ナプキン１は、使用前においては、前方部Ａと中央部Ｂとの境界線近傍、及び中央部Ｂと後方部Ｃとの境界線近傍を折り線として、図６に示すように、３つ折りに折り畳まれている。また、図２に示すように、前方部Ａと中央部Ｂとの境界線近傍は、前方溝５４と中央溝５１との繋がり位置となっており、該繋がり位置近傍における溝（前方溝５４及び中央溝５１）の形状は、幅方向内側に括れた形状となっている。同様に、中央部Ｂと後方部Ｃとの境界線近傍は、中央溝５１と外側後方溝５３との繋がり位置となっており、該繋がり位置近傍における溝（中央溝５１及び外側後方溝５３）の形状は、幅方向内側に括れた形状となっている。生理用ナプキン１を使用する際には、テープ９が外されるか、テープ９がない場合はそのまま、折り畳まれている前方部Ａ及び後方部Ｃそれぞれが長手方向外側に開かれる。このように、生理用ナプキン１は、括れた形状を有する前方溝５４と中央溝５１との繋がり位置及び中央溝５１と外側後方溝５３との繋がり位置付近を折り線として折り畳まれているため、曲げ誘導によって折り皺が少なく、着用時には隆起によって皺が消失もしくは緩和されるため、使用感が良く、生理用ナプキン１の表面に排泄された体液が、該皺を伝って、幅方向に漏れることを防止できる。
【００２８】
本実施形態の生理用ナプキン１は、ショーツ等の股下部内側に固定して着用される。生理用ナプキン１の中央部Ｂにおける表面シート２は、着用者の排泄部に当接する。この際、生理用ナプキン１は、着用者の両太ももの付け根内側により左右から幅方向内側へ圧縮力を受ける。尚、本発明でいう「凸に湾曲する」は、曲線状の凸に湾曲する場合に限らず、直線（多角形）状の凸に湾曲する場合も含む。
【００２９】
本実施形態の生理用ナプキン１によれば、一対の中央溝５１，５１は幅方向外側に凸に湾曲している。そのため、左右から幅方向に圧縮力を受けると、中央溝５１の幅方向最外側に位置する部分が、幅方向内側に向かう圧縮力をいち早く受け止め、図５に示すように、一対の中央溝５１，５１に囲まれている吸収体４の中央部分の隆起を引き起こす。また、それに連動して内側後方溝５２の幅方向内側の領域Ｔ１も着用者の肌側へ向かって隆起する。それによって吸収層１０は、着用者の排泄部に密着する。特に、内側後方溝５２はその幅が後方に向かって徐々に狭くなっているため、内側後方溝５２の内側の領域Ｔ１では細かく隆起し、排泄部後方の臀部の隙間におけるフィット性が増す。一方、外側後方溝５３の幅方向内側で且つ内側後方溝の幅方向外側の領域Ｔ２では、隆起による影響を受け難く、吸収体４がフラットとなり、着用者の臀部の形状にフィットし易いため、肌面を伝ってきた液の漏れを防ぐ効果が高まる。
【００３０】
また、本実施形態の生理用ナプキン１においては、外側後方溝５３の幅方向内側で且つ内側後方溝５２の幅方向外側の領域Ｔ２における坪量と、内側後方溝５２の幅方向内側の領域Ｔ１における坪量とが略等しい。従って、内側後方溝５２の幅方向内側の領域Ｔ１には中高部は設けられていない。本実施形態の生理用ナプキン１においては、上述したように、一対の中央溝５１，５１に囲まれた領域、及び一対の内側後方溝５２，５２の幅方向内側の領域Ｔ１が隆起すると共に、外側後方溝５３の幅方向内側で且つ内側後方溝５２の幅方向外側の領域Ｔ２では、吸収体４が隆起せず、フラットとなることで、吸収体４に中高部を設けることなく着用者の股下部形状にフィットさせることができる。
従って、従来の生理用ナプキンにおいて生じやすかった中高部と非中高部との段差に起因した着用者の肌と吸収層との間の隙間が生じ難い。
更に、本実施形態の生理用ナプキン１は、中高部を設けなくてもよいため、構成部材数が少なく製造が容易である。
【００３１】
また、本実施形態の生理用ナプキン１においては、一対の中央溝５１，５１は、前方部Ａにおいて一対の前方溝５４，５４を介して繋がっており、一対の中央溝５１，５１と一対の外側後方溝５３，５３とは繋がっており、一対の外側後方溝５３，５３は、後方部Ｃにおいて繋がっており、これらの溝によって吸収層１０には閉じた領域が形成されている。そのため、生理用ナプキン１が着用時に幅方向から圧縮力を受けた場合、幅方向の中央部で長手方向に沿って２つ折りにされることを効果的に防止できる。
【００３２】
また、本実施形態の生理用ナプキン１においては、一対の内側後方溝５２，５２は、一対の中央溝５１，５１及び一対の外側後方溝５３，５３とは繋がっていない。このことにより、生理用ナプキン１の着用時に、一対の中央溝５１，５１に囲まれた領域が隆起することに連動して一対の内側後方溝５２，５２の幅方向内側の領域がより隆起し易くなると共に、外側後方溝５３の幅方向内側で且つ内側後方溝５２の幅方向外側の領域Ｔ２では、吸収体４が隆起せず、フラットになり易い。
【００３３】
更に、本実施形態の生理用ナプキン１においては、一対の中央溝５１，５１よりも幅方向外側に、それぞれ一対の側方溝６，６が設けられているため、生理用ナプキン１が局部的に幅方向からの圧縮力を受けた場合にも、圧縮力が側方溝６の長手方向全体に分散し、幅方向外側に凸に湾曲している一対の中央溝５１，５１へ伝搬することにより、吸収層１０は安定的に隆起する。そのため、幅方向内側への圧縮力が左右均等でなくても、吸収層１０は着用者の肌側へ向かって良好に隆起する。
【００３４】
本発明の吸収性物品は、前述した実施形態に制限されることなく、本発明の趣旨を逸脱しない限り適宜変更が可能である。
一対の中央溝５１，５１は、本実施形態においては、前方部Ａにおいて一対の前方溝５４，５４を介して繋がっているが、前方溝５４の有無に拘わらず、繋がっていなくてもよい。また、一対の外側後方溝５３，５３は、本実施形態においては、その後端部において繋がっていたが、繋がっていなくてもよい。該一対の前方溝５４，５４及び一対の外側後方溝５３，５３は、一対の前方溝５４，５４の前端又は一対の外側後方溝５３，５３の後端において繋がっている場合には、隆起の影響を溝内に閉じ込める効果を有し、繋がっていない場合には、溝に囲まれた領域の隆起を促進する効果を有する。
一対の内側後方溝５２，５２は、本実施形態においては、その後端部において繋がっているが、繋がっていなくてもよい。この場合、その後端部同士の間隔は、５〜１０ｍｍであることが好ましい。
また、本実施形態においては撥水性の内部シート７を用いているが、それに代えて吸収層１０の長手方向両側部にサイド防漏部を形成し、防漏効果を高めることもできる。
本発明の吸収性物品は、生理用ナプキンに制限されず、失禁パッド等に適用することができる。
【図面の簡単な説明】
【００３５】
【図１】図１は、本発明の吸収性物品の一実施形態である生理用ナプキンを示す斜視図である。
【図２】図２は、図１に示す生理用ナプキンの平面図で、（ａ）は全体図、（ｂ）は溝のみを示す図である。
【図３】図３は、図２に示すＸ−Ｘ線断面図である。
【図４】図４は、図２に示すＹ−Ｙ線断面図である。
【図５】図５は、図１に示す生理用ナプキンの装着時の形状を示す斜視図である。
【図６】図６は、図１に示す生理用ナプキンが３つ折りされた状態を示す斜視図である。
【符号の説明】
【００３６】
１  生理用ナプキン（吸収性物品）
１０  吸収層
１１  防漏層
２  表面シート
３  裏面シート
４  吸収体
５１  中央溝（溝）
５２  内側後方溝
５３  外側後方溝
５４  前方溝
６  側方溝
７  内部シート
８  ウイング部
９  テープ
Ａ  前方部
Ｂ  中央部
Ｃ  後方部
Ｓ１  中心線
【図１】
2008119081.tif 000003
【図２】
2008119081.tif 000004
【図３】
2008119081.tif 000005
【図４】
2008119081.tif 000006
【図５】
2008119081.tif 000007
【図６】
2008119081.tif 000008